(57)【要約】【課題】直交周波数分割多重方式（ＯＦＤＭ方式）の連結送信システムにおいて、放送休止時等に同一の信号が多くなることにより信号の波形が歪む現象を抑制する。【解決手段】連結送信システムを多重化装置１０のように識別手段および置換手段を有するユニットと、送信信号への変換手段を有する変調ユニット３０で構成する。識別手段はデータ信号のパケットに含まれる特定パターンを識別する。置換手段は識別手段により特定パターンが識別されたパケットの実データ部を所定のデータに置き換える。送信信号への変換手段は置換手段により得られたパケットを含むデータを直交周波数分割多重方式による送信信号へ変換する。同一の信号となる無効パターンを置き換えることにより波形の歪みを抑制できる。【選択図】      図1
2013187577.tif 000002
【特許請求の範囲】
【請求項１】
データ信号のパケットに含まれる特定パターンを識別する識別手段と、前記識別手段により前記特定パターンが識別されたパケットの実データ部を所定のデータに置き換える置換手段と、前記置換手段により得られたパケットを含むデータを直交周波数分割多重方式による送信信号へ変換する変換手段とを備えていることを特徴とする連結送信システム。
【請求項２】
前記識別手段が無効パターンの識別により行われることを特徴とする請求項１の連結送信システム。
【請求項３】
前記識別手段がパケット識別子の識別によって行われることを特徴とする請求項１または２いずれかに記載の連結送信システム。
【請求項４】
前記置換手段に用いられる所定のデータがランダムもしくは擬似ランダムデータであることを特徴とする請求項１から３いずれかに記載の連結送信システム。
【請求項５】
データ信号のパケットに含まれる特定パターンを識別し、特定パターンを含むパケットの実データ部のデータが所定のデータに置換され、前記置換により得られたパケットを含むデータを直交周波数分割多重方式による送信信号へ変換することを特徴とする連結送信システムでのデータ生成方法。
【請求項６】
前記データ信号のパケットに含まれる特定パターンが、無効データのパターンであることを特徴とする請求項５記載の連結送信システムでのデータ生成方法。
【請求項７】
前記データ信号のパケットに含まれる特定パターンの識別がパケット識別子の識別によって行われることを特徴とする請求項５また６いずれかに記載の連結送信システムでのデータ生成方法。
【請求項８】
前記置換に用いられるデータがランダムまたは擬似ランダムデータであることを特徴とする請求項５から７いずれかに記載の連結送信システムでのデータ生成方法。
【発明の詳細な説明】
【技術分野】
【０００１】
本発明は、放送信号を多重化し変調して送信する連結送信システムに関する技術であり、特に直交周波数分割多重方式の連結送信システムに関するものである。
【背景技術】
【０００２】
放送分野においてはデジタル化により、高画質の画像や音声と各種の情報データと組み合わせた放送などが行われるようになっている。それに伴い、大容量の放送用データを安定的に送信することが重要となっており、関連する技術開発が盛んに進められている。
【０００３】
データ送信を大容量化するためには、信号を多重化する方法が用いられることが多い。放送用の信号を多重化して送信する方式としてはＯＦＤＭ（Orthogonal Frequency Division Multiplexing：直交周波数分割多重）方式がある。ＯＦＤＭ方式では、信号の伝達のために周波数の異なる複数の搬送波を用いるが、各搬送波が互いに直交関係を有しているという特徴を持っている。この直交関係を利用することにより搬送波の周波数の間隔を密にすることができ、周波数を有効に利用できるため、ＯＦＤＭ方式では高い伝送効率を得ることができる。また、ＯＦＤＭ方式では送信用の信号を生成するために、多重化した信号にＩＦＦＴ（Inverse Fast Fourier Transform：高速逆フーリエ変換）処理を行う。受信した信号を復元するためにはＦＦＴ（Fast Fourier Transform：高速フーリエ変換）処理を行う。ＩＦＦＴ処理を用いて信号を生成する場合、元となるデータの同一性が高いと大きな出力ピークを持った信号に変換される。一般的に信号の送信では増幅器により信号を増幅することが必須であるが、出力ピークが大きく異なる信号同士を元の比を保ったまま増幅することは困難である。また、出力ピークが大きな信号はその他の信号にも影響を与え、増幅器を通過した際に信号の波形が歪んでしまい、信号を送信し復元しようとしても元のデータには戻らないことが生じる。
【０００４】
通常の放送信号パターンの送信では、様々な映像や音声を符号化して送信するため信号パターンが一致する可能性は低くほぼ発生しない。しかし、放送を休止している際は、各放送局から規格に沿った同一の休止信号が送信されることがあるなど、同一の信号パターンが同時に送信されることもある。従って、同一パターンの信号を送る際の対策がなされていないと、受信した信号を元通りに復元できずに正しい信号の送受信が出来ないことがある。
【０００５】
実際に放送には利用されない同一パターンの信号が多重化して送られる際に、受信した信号パターンの劣化を抑制するための技術として特許文献１のような技術が知られている。
【０００６】
特許文献１の連結送信装置はインターリーブ処理部と、連結処理部と、識別部と、制御部からなる。インターリーブ部は複数の放送用信号が入力され、時間インターリーブ処理が実施される。連結処理部では時間インターリーブ処理が行われた複数の信号がＯＦＤＭ方式によって多重化される。識別部は特定パターンによる無効パケットパターンが無いかを識別する。制御部は、無効パケットパターンを検出した際に、変調パラメータの１つである時間インターリーブの長さをランダムに変更する。特許文献１によれば、同パターンである無効パケットパターンが時間インターリーブの差により、信号パターンがランダムになるため、分割される信号パターンが正しく復元できるとされている。
【先行技術文献】
【特許文献】
【０００７】
【特許文献１】特開２００９−１６９２３号公報
【発明の概要】
【発明が解決しようとする課題】
【０００８】
しかしながら、特許文献１に開示された技術には次のような課題がある。時間インターリーブは変更可能なパターンが４パターンのみのため、５つ以上のセグメントの信号が、放送休止などで同じになった場合に同じパターンを使用することになる。その結果、受信した信号の復元性が悪くなる。その対策を時間インターリーブで対応しようと、時間をさらに長くしてインターリーブ処理を行うと信号遅延の影響が大きくなる。この信号遅延の影響はインターリーブ時間を長くすると、分割したデータのうち最初のデータと最後のデータを受信する時間差が大きくなるために生じる。特に同じパターンの信号の数が増えるにつれて、時間インターリーブを長く取る必要が生じるため、信号の遅延の影響が顕著になり放送の品質が低下する。
【０００９】
本発明では、放送には利用されない同一パターンの信号が多重化して送られる際に、時間インターリーブ等の変調パラメータを変更することなく、受信した信号パターンの劣化を抑制することを目的とする。
【課題を解決するための手段】
【００１０】
上記の課題を解決するため、本発明の連結送信システムは識別手段と、置換手段と、送信信号への変換手段とを備えている。識別手段はデータ信号のパケットに含まれる特定パターンを識別する。置換手段は識別手段により特定パターンが識別されたパケットの実データ部を所定のデータに置き換える。送信信号への変換手段は置換手段により得られたパケットを含むデータを直交周波数分割多重方式による送信信号へ変換する。
【発明の効果】
【００１１】
本発明によれば、直交周波数分割多重方の放送用の信号送信において、放送休止時等に同一の無効パターンの信号がデータ中に多数含まれることによる通常より大きな出力ピークを持つ信号の発生を抑制することができる。その結果、大きな出力ピークの信号の影響により、信号の波形が歪む現象を抑制することができる。データを書き換えるので、パターン数に制約がなく置換が必要な信号の数が増えても対応が可能である。
【図面の簡単な説明】
【００１２】
【図１】本発明の第１の実施形態における構成の概要図である。
【図２】本発明の第１の実施形態における構成の一部を示す図である。
【図３】本発明の第１の実施形態における構成の一部を示す図である。
【図４】本発明の第１の実施形態における構成の一部を示す図である。
【図５】本発明の第１の実施形態における構成の一部を示す図である。
【図６】本発明の第２の実施形態における構成の概要図である。
【図７】本発明の第２の実施形態における構成の一部を示す図である。
【図８】本発明の第３の実施形態における構成の概要図である。
【図９】本発明の第４の実施形態における構成の概要図である。
【発明を実施するための形態】
【００１３】
本発明の第１の実施形態について図１を参照して詳細に説明する。図１は本実施形態の連結送信システムの構成の概要を示したものである。本実施形態の連結送信システムは多重化装置１０と、送信ユニット２０と、通信回線２５と、受信ユニット２６と、変調ユニット３０と、電力増幅器４０と、送信設備４１からなる。
【００１４】
多重化装置１０の構成の概要を図２に示す。多重化装置１０は多重化部１１と、データ識別部１２と、データ置換部１３を備えている。多重化部１１は放送番組の各制作局などから送られてくる映像、音声、情報の各信号を多重化しＭＰＥＧ−２（Moving Picture Experts Group phase 2）規格のＴＳ信号を生成する。ＴＳ信号はトランスポートストリーム（Transport Stream）信号のことであり、映像、音声、情報の伝送用のパケットデータである。ＴＳ信号にはＰＩＤ（Packet Identification：パケット識別子）と呼ばれるデータ内容を示す情報が付加されている。データ識別部１２は、ＴＳ信号のＰＩＤを調べて放送休止などによる無効データのような放送に関係しないデータが含まれていないかを確認する手段を有する。例えば、データ識別部１２はＰＩＤを検索しＮＵＬＬが書き込まれていないかを確認する。ＮＵＬＬは放送休止等の際に付加され、放送用の実データと区別するために付けられている。ＮＵＬＬは１６進数で「１ＦＦ０」に相当するデータが書き込まれている。データ置換部１３は、データ識別部１２でＮＵＬＬを検知し、無効データと判断された場合などに、ペイロードのデータを書き換える手段を有する。ペイロードはデータからヘッダ部分を除いた残りの部分、すなわち、放送用の映像や音声が変換された実際のデータの部分のことをいう。
【００１５】
送信ユニット２０および受信ユニット２６の構成の概要を図３に示す。送信ユニット２０は、合成圧縮装置２１と、伝送用変調装置２２からなる。受信ユニット２６は伝送用復調装置２７と、伸長分離装置２８からなる。送信ユニット２０および受信ユニット２６は通信回線を介して接続されている。送信ユニット２０の合成圧縮装置２１は複数の放送データＴＳ信号を合わせ、合せられた信号を圧縮したデータを構成する装置である。伝送用変調装置２２は圧縮されたデータを通信回線２５の通信規格に適した信号へと変換して送信する装置である。通信回線２５は通信ユニット２０と受信ユニット２６の間でデータの伝送を行う。通信回線２５は光通信回線や無線通信回線などや、それらの組み合わせにより構成されている。受信ユニット２６の伝送用復調装置２７は、通信回線２５を介して受信したデータを伸長分離装置２８で扱うデータ形態へと変換する手段を有する。伸長分離装置２８は合成圧縮装置２１でなされた圧縮を元に戻し、個々のＴＳ信号に戻す手段を有している。
【００１６】
変調ユニット３０の構成の概要を図４に示す。変調ユニット３０は、符号化部３１と、インターリーブ処理部３２と、ＯＦＤＭフレーム部３３と、連結フレーム部３４と、ＩＦＦＴ処理部３５と、ＧＩ付加部３６と、直交変調部３７からなる。
【００１７】
符号化部３１はＴＳ信号を放送用のＴＳパケットに変換する手段を有する。インターリーブ処理部３２はＴＳパケット内でのデータの並び替えを行う手段を有する。インターリーブは時間および周波数の両方、もしくは一方について行われる。ＯＦＤＭフレーム部３３は1セグメント分のＯＦＤＭフレームを構成する。ＯＦＤＭフレームとは1セグメント分の周波数方向と時間軸方向のデータが組み合わされたものである。連結フレーム部３４は各セグメントのＯＦＤＭフレームを組み合わせる。ＩＦＦＴ処理部３５は連結フレーム化されたデータのＩＦＦＴ（Inverse Fast Fourier Transform：高速逆フーリエ変換）処理を行う手段を有する。ＧＩ付加部３６は、データにガードインターバル（Guard Interval：GI）を付加する手段を有する。ガードインターバルとは遅延時間の影響を抑制するために付加される冗長データである。直交変調部３７は送信用の高周波信号を生成する手段を有する。各周波数の信号は互いに直交関係にある。
【００１８】
電力増幅器４０は変調ユニット３０で作成された放送用の信号を増幅させる増幅回路を備えている。送信設備４１はアンテナなどからなり、放送用の信号を送信する設備である。
【００１９】
次に本実施形態の連結送信システムで放送用の信号が送信される際の動作について説明する。放送番組制作会社などからの映像、音声、情報のデータ信号が、多重化装置１０に送られてくる。放送を休止している際は、ＰＩＤにＮＵＬＬが記録されたデータ信号が多重化装置１０に送られてくる。多重化装置１０の多重化部は個々の信号を多重化し放送用のＴＳ信号を作成する。多重化装置１０のデータ識別部１２はＴＳ信号のパケット部を監視し、ＮＵＬＬを検出した場合は、データ置換部１３へ伝達する。データ置換部１３はＮＵＬＬが検出されたパケットのペイロードを所定のデータに置き換える。ペイロードの置き換えは、例えば、１つのセグメントを「0x01」、次のセグメントを「0x02」、１０番目のセグメントを「0x0A」のように実施し、セグメントごとに異なることが望ましい。データ置換部１３はＮＵＬＬが検出されていないパケットについては、データの書き換えを行わずにそのまま通過させる。
【００２０】
送信ユニット２０が多重化装置１０からＴＳ信号を受信すると、合成圧縮装置２１は複数系統のＴＳ信号を合成し、１つの信号に変換して圧縮する。伝送用変調装置２２は通信回線２５の規格に合わたせ伝送用の信号に変換して送信する。伝送用の信号は通信回線２５を介して受信ユニット２６へ送られる。受信ユニット２６の伝送用復調装置２７は受信した伝送用の信号から元のＴＳ信号が合成された状態に戻す。伸長分離装置２８は圧縮を元に戻し、個々のＴＳ信号へと復元する。
【００２１】
変調ユニット３０が受信ユニット２６からＴＳ信号を受信すると、符号化部３１はＴＳ信号のデータを送信時のデータへと変換する。インターリーブ処理部３２は時間軸方向にインターリーブ処理を行い、データの順番を並び替える。ＯＦＤＭフレーム部３３は個々のＴＳ信号を組み合わせＯＦＤＭフレームを作成する。連結フレーム部３４はＯＦＤＭフレームを組み合わせ、送信データの基となる連結フレームを作成する。ＩＦＦＴ処理部３５は連結フレームで作成されたデータにＩＦＦＴ処理を行う。ＧＩ付加部３６はＩＦＦＴ処理をされた送信用データにＧＩを付加する。送信用のデータは直交変調器３７によって送信用のＯＦＤＭ変調波に変調される。ＯＦＤＭ変調波は電力増幅器４０によって増幅され、送信設備４１により送信される。
【００２２】
ペイロードの置き換えに使用するデータはランダムに発生させたものでもよい。図５にランダムに発生させたデータにより、ペイロードのデータを置換する際の、データ識別部とデータ置換部の構成の概要を示した。図５のデータ識別部８０はデータ識別器８１が備えられている。データ識別器８１はＰＩＤを監視し、ＮＵＬＬが記録されているパケットを検出する。ＮＵＬＬが検出されるとデータ識別器８１はデータ置換部８２のスイッチ制御器８４へスイッチをＯＮにする信号を送る。スイッチ８５には擬似ランダム信号生成器８３が接続されており、ランダムなデータを得ることができる。ランダムなデータの生成は例えば、g(x)=x^23+x^18+1の多項式に沿った擬似ランダムデータとする。変数xの初期値は例えば例えば通過したパケットデータの数を用いる。変数ｘは定期的にリセットされる。また、擬似ランダムデータとはデータの生成は一定の法則には従っているものの、実用上はランダムとみなせるデータのことをいう。ＮＵＬＬが検出されたパケットは、データ書き込み部８２へと向かう経路を通り、データ書き込み部８２でペイロードにランダムなデータが書き込まれる。ランダムなデータが書き込まれたパケットは、データ置換部から送り出させる。データ識別部８１はＮＵＬＬが検出されない通常データのパケットが通過した際は、スイッチ制御部８４に対しスイッチをＯＦＦにし擬似ランダム信号生成器８３からの信号がデータ書き込み部８２に流れないようにする。通常データのパケットはデータ書き込み部８２ではデータの変換はされず、そのままデータ置換部１３から送り出される。ＴＳ信号を処理する系統ごとに擬似ランダム生成器８３のランダム符号の発生が分かれていることが望ましいので、各系統の擬似ランダム信号生成器８３はリセットのタイミングなどの情報を交換できる手段を備えているとよい。
【００２３】
送信設備４１から送信された放送用のＯＦＤＭ変調波の信号は、受信設備で受信され、画像表示機器等でＴＳ信号へ復調されて利用される。
【００２４】
本実施形態の多重化装置１０では、映像や音楽、情報に関するデータを多重部１１で多重化してＴＳ信号を生成した後に、データ識別部１２で無効データなどの識別を行ったが、多重化部１１とデータ識別部１２は順序を逆にしてもよい。すなわし、多重化装置１０内の順序を、データ識別部１２、多重化部１１、データ置換部１３としてもよい。この場合は、多重化部１１とデータ置換部１３を統合して、データ識別部１２での無効データなどが検出されてとき、多重化と同時にデータ置換が行われることがある。多重化部１１とデータ置換部１３が統合されることにより、多重化装置の構成が簡略化させる。
【００２５】
本実施形態の連結送信システムでは、ＯＦＤＭ方式の放送用の信号送信において、放送休止時等に同一の無効パターンの信号がデータ中に多数含まれることにより、通常より大きな出力ピークを持つ信号の発生を抑制することができる。その結果、大きな出力ピークの信号の影響により、信号の波形が歪む現象を抑制することができる。また、データを書き換えるので、パターン数に制約がなく置換が必要な信号の数が増えても対応が可能である。
【００２６】
第２の実施形態について図６を参照しながら説明する。図６は本実施形態における連結送信システムの構成の概要を示したものである。本実施形態の連結送信システムは、第１の実施形態で多重化装置内に有していたデータ識別部とデータ置換部を別のユニットとして有している。
【００２７】
本実施形態の連結送信システムは、多重化装置５０と、識別置換ユニット６０と、送信ユニット２０と、通信回線２５と、受信ユニット２６と、変調ユニット３０と、電力増幅器４０と、送信設備４１からなる。
【００２８】
多重化装置５０は放送番組の各制作局などから送られてくる映像、音楽、情報のデータ信号を多重化しＭＰＥＧ−２規格のＴＳ信号を生成する。送信ユニット２０、通信回線２５、受信ユニット２６、変調ユニット３０、電力増幅器４０および送信設備４１の構成と機能は第１の実施形態と同一である。
【００２９】
識別置換ユニット６０の構成の概要を図７に示す。識別置換ユニット６０はデータ識別部６１と、データ置換部６２からなる。データ識別部６１は、ＴＳ信号のパケットを調べて放送休止などによる無効データが含まれていないかを確認する手段を有する。また、データ置換部６２は、データ識別部６１でＮＵＬＬを検知し、無効データと判断された場合などに、ペイロードのデータを書き換える手段を有する。
【００３０】
次に本実施形態の連結送信システムで放送用の信号が送信される際の動作について説明する。放送番組制作会社などから映像、音楽、情報のデータ信号が、多重化装置５０に複数系統で送られてくる。放送を休止している際は、ＰＩＤにＮＵＬＬが記録されたデータ信号が多重化装置５０に送られてくる。多重化装置５０は系統ごとに映像、音楽、情報のデータ信号を多重化しＭＰＥＧ−２規格のＴＳ信号を生成する。識別置換ユニット６０が多重化装置５０からＴＳ信号を受け取ると、データ識別部６１はＴＳ信号のパケット部を監視し、ＮＵＬＬを検出した場合は、データ置換部６２へ伝達する。データ置換部６２はＮＵＬＬが検出されたパケットはそのペイロードを所定のデータに置き換える。また、データ置換部６２はＮＵＬＬが検出されていないパケットについては、データの書き換えを行わずにそのまま通過させる。置換するデータの例としては、第１の実施形態で置換するデータの例にあげたデータと同様ものを用いることができる。
【００３１】
送信ユニット２０が識別置換ユニット６０からＴＳ信号を受信すると、送信ユニット２０の合成圧縮装置２１は複数系統のＴＳ信号を合成し、１つの信号に変換して圧縮する。伝送用変調装置２２は圧縮し変換された信号を通信回線２５の規格に合わせた伝送用の信号に変換し、伝送用の信号を送信する。受信ユニット２６は通信回線２５を介して伝送用の信号を受信する。受信ユニット２６の伝送用復調装置２７は受信した伝送用の信号から元のＴＳ信号が合成および圧縮された状態に戻す。伸長分離装置２８は圧縮を元に戻し、個々のＴＳ信号へと復元する。
【００３２】
変調ユニット３０が受信ユニット２６からＴＳ信号を受信すると、変調ユニット３０の符号化部３１はＴＳ信号のデータを送信時のデータへと変換する。インターリーブ処理部３２は時間軸方向にインターリーブ処理を行い、データの順番を並び替える。ＯＦＤＭフレーム部３３は個々のＴＳ信号を組み合わることによりＯＦＤＭフレームを作成する。連結フレーム部３４はＯＦＤＭフレームを組み合わせ、送信データの基となる連結フレームを作成する。ＩＦＦＴ処理部３５は連結フレームで作成されたデータにＩＦＦＴ処理を行う。ＧＩ付加部３６はＩＦＦＴ処理をされた送信用データにＧＩを付加する。送信用のデータは直交変調器３７によって送信用のＯＦＤＭ変調波に変調される。ＯＦＤＭ変調波は電力増幅器４０によって増幅され、送信設備４１により送信される。
【００３３】
本実施形態ではデータ識別部６１とデータ置換部６２を識別置換ユニット６０として多重化装置５０と送信ユニット２０の間に備えていたが、データ識別部６１とデータ置換部６２の機能は送信ユニット２０内の各部にあってもよい。例えば、送信ユニット２０内の合成圧縮装置２１にデータの識別と置換の機能が備わっていてもよい。
【００３４】
本実施形態の連結送信システムでは、識別置換ユニットを複数の多重化装置からのＴＳ信号を受信できる位置に配置しているため、複数のＴＳ信号間に異なるデータを書き込む制御が容易になる。識別置換ユニットユニットを独立させたので装置構成の自由度が高まるとともに、既存の装置への追加も可能となる。また、第１の実施形態と同様に、本実施形態の連結送信システムでは、ＯＦＤＭ方式の放送用の信号送信において、放送休止時等に同一の無効パターンの信号がデータ中に多数含まれることにより、通常より大きな出力ピークを持つ信号の発生を抑制することができる。その結果、大きな出力ピークの信号の影響により、信号の波形が歪む現象を抑制することができる。また、データを書き換えるので、パターン数に制約がなく置換が必要な信号の数が増えても対応が可能である。
【００３５】
次に第３の実施形態について図８を参照しながら説明する。図８は本実施形態の連結送信システムの構成の概要を示したものである。本実施形態の連結送信システムは、多重化装置５０と、送信ユニット２０と、通信回線２５と、受信ユニット２６と、識別置換ユニット６０と、変調ユニット３０と、電力増幅器４０と、送信設備４１からなる。第２の実施形態では、識別置換ユニット６０が多重化装置５０と伝送ユニット２０の間に備えられていたが、本実施形態では識別置換ユニット６０は受信ユニット２６と変調ユニット３０の間に備えられている。各装置およびユニットの構成や機能は第２の実施形態と同一である。
【００３６】
次に本実施形態の連結送信システムで放送用の信号が送信される際の動作について説明する。放送番組制作会社などからの映像、音楽、情報のデータが多重化装置５０に複数系統で送られてくる。放送を休止している際は、ＰＩＤにＮＵＬＬが記録されたデータ信号が多重化装置５０に送られてくる。多重化装置５０は系統ごとに映像や音楽、情報のデータを多重化し放送用のＴＳ信号を生成する。
【００３７】
送信ユニット２０が多重化装置５０からＴＳ信号を受信すると、送信ユニット２０の合成圧縮装置２１は複数系統のＴＳ信号を合成し、１つの信号に変換し圧縮する。伝送用変調装置２２は、合成および圧縮された信号を通信回線２５の規格に合わせた伝送用の信号に変換して送信する。伝送用の信号は通信回線２５を介して、受信ユニット２６へ送られる。受信ユニット２６の伝送用復調装置２７は受信した伝送用の信号から元のＴＳ信号が合成および圧縮された状態に戻す。伸長分離装置２８は圧縮を元に戻し、個々のＴＳ信号へと復元する。
【００３８】
識別置換ユニット６０が受信ユニット２６からＴＳ信号を受け取ると、データ識別部６１はＴＳ信号のパケット部を監視し、ＮＵＬＬを検出した場合は、データ置換部６２へ伝達する。データ置換部６２はＮＵＬＬが検出されたパケットはそのペイロードを所定のデータに置き換える。また、データ置換部６２はＮＵＬＬが検出されていないパケットについては、データの書き換えを行わずにそのまま通過させる。また、置換するデータの例としては、第１の実施形態で置換するデータの例にあげたデータと同様のものを用いることができる。
【００３９】
変調ユニット３０が識別置換ユニット６０からＴＳ信号を受信すると、符号化部３１はＴＳ信号のデータを送信時のデータへと変換する。インターリーブ処理部３２は時間軸方向にインターリーブ処理を行い、データの順番を並び替える。ＯＦＤＭフレーム部３３は個々のＴＳ信号を組み合わせＯＦＤＭフレームを作成する。連結フレーム部３４はＯＦＤＭフレームを組み合わせ、送信データの基となる連結フレームを作成する。ＩＦＦＴ処理部３５は連結フレームで作成されたデータにＩＦＦＴ処理を行う。ＧＩ付加部３６はＩＦＦＴ処理をされた送信用データにＧＩを付加する。送信用のデータは直交変調器３７によって送信用のＯＦＤＭ変調波に変調される。ＯＦＤＭ変調波は電力増幅器４０によって増幅され、送信設備４１により送信される。
【００４０】
本実施形態ではデータ識別部６１とデータ置換部６２を識別置換ユニット６０として伝送ユニット２０と変調ユニット３０の間に備えていたが、データ識別部６１とデータ置換部６２の機能は変調ユニット３０内の各部にあってもよい。例えば、変調ユニット３０内の符号化部３１にデータの識別と置換機能が備わっていてもよい。符号化部３１はデータの読み込みと符号化機能がありデータ置換機能を元から備えているので、データの識別と置換機能を別に備えるよりも装置構成が簡略化する。
【００４１】
本実施形態の連結送信システムでは、識別置換ユニットを複数のＴＳ信号を受信できる位置に配置しているため、複数のＴＳ信号間に異なるデータを書き込む制御が容易になる。識別置換ユニットユニットを独立させたので装置構成の自由度が高まるとともに、既存の装置への追加も可能となる。また、第１の実施形態と同様に、本実施形態の連結送信システムでは、ＯＦＤＭ方式の放送用の信号送信において、放送休止時等に同一の無効パターンの信号がデータ中に多数含まれることにより、通常より大きな出力ピークを持つ信号の発生を抑制することができる。その結果、大きな出力ピークの信号の影響により、信号の波形が歪む現象を抑制することができる。また、データを書き換えるので、パターン数に制約がなく置換が必要な信号の数が増えても対応が可能である。
【００４２】
次に第４の実施形態について図９を参照しながら説明する。図９は第４の実施形態における連結送信システムの構成の概要を示したものである。本実施形態における連結送信システム７０は識別手段７１と、置換手段７２と、送信信号への変換手段７３とを備えている。識別手段７１はデータ信号のパケットに含まれる特定パターンを識別する。置換手段７２は識別手段７１により特定パターンが識別されたパケットの実データ部を所定のデータに置き換える。送信信号への変換手段７３は置換手段７２により得られたパケットを含むデータを直交周波数分割多重方式による送信信号へ変換する。
【００４３】
本実施形態の連結送信システムを用いると、直交周波数分割多重方式の放送用の信号送信において、放送休止時等に同一の無効パターンの信号がデータ中に多数含まれることによる通常より大きな出力ピークを持つ信号の発生を抑制することができる。その結果、大きな出力ピークの信号の影響により、信号の波形が歪む現象を抑制することができる。データを書き換えるので、パターン数に制約がなく置換が必要な信号の数が増えても対応が可能である。
【産業上の利用可能性】
【００４４】
本発明は、放送分野における放送用データの送信に利用することができ、特に直交周波数分割多重方式による送信システムに利用することができる。
【符号の説明】
【００４５】
１０    多重化装置
１１    多重化部
１２    データ識別部
１３    データ置換部
２０    送信ユニット
２１    合成圧縮装置
２２    伝送用変調装置
２５    通信回線
２６    受信ユニット
２７    伝送用復調装置
２８    伸長分離装置
３０    変調ユニット
３１    符号化部
３２    インターリーブ処理部
３３    ＯＦＤＭフレーム部
３４    連結フレーム部
３５    ＩＦＦＴ処理部
３６    ＧＩ付加部
３７    直交変調部
４０    電力増幅器
４１    送信設備
５０    多重化装置
６０    識別置換ユニット
６１    データ識別部
６２    データ置換部
７０    連結送信システム
７１    識別手段
７２    置換手段
７３    送信信号への変換手段
８１    データ識別器
８２    データ書き込み部
８３    擬似ランダム信号生成器
８４    スイッチ制御器
８５    スイッチ
【図１】
2013187577.tif 000003
【図２】
2013187577.tif 000004
【図３】
2013187577.tif 000005
【図４】
2013187577.tif 000006
【図５】
2013187577.tif 000007
【図６】
2013187577.tif 000008
【図７】
2013187577.tif 000009
【図８】
2013187577.tif 000010
【図９】
2013187577.tif 000011